(57)【要約】【課題】本発明は、ガイド機構を設けることによって、天板を側方にずらしたり、大きな天板に付け替えることができると共に滑り止手段によって天板が滑動することを防止できるフレキシブル天板机を提供する。【解決手段】略長方形の天板と、該天板と奥行が略同寸法で幅が該天板と略同じ又は若干小さい寸法であって該天板の下面を滑り止手段を介して支える台座板と、該台座板の下面に設けられ机全体を支える脚部と、を主な構成要素としたフレキシブル天板机であって、前記天板と前記台座板との間の面に該天板を長手方向に摺動させるための単数又は複数のガイド機構を設け、また、前記滑り止手段によって前記天板の滑動を防止することを特徴とするフレキシブル天板机。【選択図】図１
2016097051.tif 000002
【特許請求の範囲】
【請求項１】
略長方形の天板と、該天板と奥行が略同寸法で幅が該天板と略同じ又は若干小さい寸法であって該天板の下面を滑り止手段を介して支える台座板と、該台座板の下面に設けられ机全体を支える脚部と、を主な構成要素としたフレキシブル天板机であって、前記天板と前記台座板との間の面に該天板を長手方向に摺動させるための単数又は複数のガイド機構を設け、また、前記滑り止手段によって前記天板の滑動を防止して固定することを特徴とするフレキシブル天板机。
【請求項２】
前記ガイド機構が、前記台座板に設けられた蟻溝と、前記天板に設けられて該蟻溝に嵌まると共に該蟻溝より若干小さめの蟻型と、の組合せであることを特徴とする請求項１に記載のフレキシブル天板机。
【請求項３】
前記ガイド機構が、前記台座板に設けられた蟻型と、前記天板に設けられておりかつ該蟻型を嵌めると共に該蟻型より若干大きめの蟻溝と、の組合せであることを特徴とする請求項１に記載のフレキシブル天板机。
【請求項４】
前記ガイド機構が、丸棒又は角棒と、前記天板に設けられた該丸棒又は該角棒の上半分を嵌合する溝状のホゾ穴と、前記台座板に設けられた該丸棒又は該角棒の下半分を嵌合する溝状のホゾ穴と、の組合せであることを特徴とする請求項１に記載のフレキシブル天板机。
【請求項５】
前記ガイド機構が、断面形状が後藤分銅形状又は鼓形状の蟻桟と、前記天板に設けられた該後藤分銅形状又は該鼓形状の該蟻桟の上半分を嵌めると共に該蟻桟より若干大きめの蟻溝と、前記台座板に設けられた該後藤分銅形状又は該鼓形状の該蟻桟の下半分を嵌めると共に該蟻桟より若干大きめの蟻溝と、の組合せであることを特徴とする請求項１に記載のフレキシブル天板机。
【請求項６】
前記天板をもう１枚追加して、奥行きと幅が前記台座板と略同寸法の前記天板を２枚使用すると共に前記ガイド機構を複数個設けていることを特徴とする請求項４又は５のいずれかに記載のフレキシブル天板机。
【請求項７】
前記天板に、さらに奥行きが前記台座板と略同寸法で幅の寸法が略半分の天板をもう１枚追加して、天板を２枚使用すると共に前記ガイド機構を複数個設けていることを特徴とする請求項４又は５のいずれかに記載のフレキシブル天板机。
【請求項８】
前記滑り止手段が、台座板の上面に固着された単数又は複数個の薄板状のゴム又はプラスチックであることを特徴とする請求項１から７のいずれかに記載のフレキシブル天板机。
【発明の詳細な説明】
【技術分野】
【０００１】
本発明は、天板のみをずらしたり、机の天板を交換することによって、机の用途や設置場所に合わせた机として使用することができるフレキシブル天板机に関するものである。
【背景技術】
【０００２】
従来、机は、天板自体が動かせず、また、決まった大きさの天板であることが、一般的であった。
【０００３】
しかし、大きな天板の机を使用したい場合や小さな天板の机を使用したい場合があり、その要求に応えるために、必要な大きさの机をそれぞれ用意することは不経済であるし、また、特に家庭においては、収納できる場所が少ないので使っていない机を保管する場所を確保することが難しく、現実的ではなかった。
【０００４】
そこで、従来、補助天板を用いることによって、天板の大きさを広くすることができる机が発明されてきた。その一例として、蝶番を起こすことによって、補助天板と元の主天板を一体として使用できるようにしており、かつ、その一体となった天板を支持脚体上の中央部に移動させることによって、不用意に机の転倒を防止することができる天板伸長式テーブルが先行技術として開示されている（文献１）。
【先行技術文献】
【特許文献】
【０００５】
【特許文献１】特開平１０−２４３８２２公報。
【発明の概要】
【発明が解決しようとする課題】
【０００６】
前記先行技術は、補助天板が机の側方に折り畳まれているので、主天板のみを使用する際は、補助天板を保管するスペースが不要である点、また、主天板と補助天板とを一体とした大きな天板を使用する際は、主天板と補助天板との両方共を支持脚体の中央で支えることができるので机が安定するという点で優れているが、補助天板を折り畳んだ際に机の見栄えがよくない点や、また、ガイドレールの窪みにガイドローラが嵌ると共にガイドローラがガイドレールの端面に当接することで天板を固定しているが、ガイドレールの端面のない方向に対しては固定されていないので、天板が振れたり滑動したりするおそれがあること、また、蝶番やガイド機構に金属材料を使用していることが分かるので実用的なイメージがわき、木材のみから作られた机に比べて、高級感を醸し出せないという問題があった。
【０００７】
そこで、上記の問題を解決するために、ガイド機構を設けることによって、天板を側方にずらしたり、大きな天板に付け替えることができると共に滑り止手段によって天板が滑動することを防止でき、また、全て木製で作成した場合には外観が高級感を醸し出すことができるフレキシブル天板机を提供するものである。
【課題を解決するための手段】
【０００８】
本発明の請求項１に係るフレキシブル天板机は、略長方形の天板と、該天板と奥行が略同寸法で幅が該天板と略同じ又は若干小さい寸法であって該天板の下面を滑り止手段を介して支える台座板と、該台座板の下面に設けられ机全体を支える脚部と、を主な構成要素としたフレキシブル天板机であって、前記天板と前記台座板との間の面に該天板を長手方向に摺動させるための単数又は複数のガイド機構を設け、また、前記滑り止手段によって前記天板の滑動を防止して固定することを特徴とする。
【０００９】
この構成を採用することにより、本発明の請求項１に係るフレキシブル天板机は、脚部と、その脚部によって支えられる台座板と台座板と、略同形状の天板と、を主な構成要素としており、台座板と天板との間の面にガイド機構と滑り止め手段が設けられている。天板は、台座板上に略水平状態のまま、少し持ち上げることによって、ガイド機構により天板を側方に摺動させることができ、所定の位置まで天板を移動させてから、天板を台座板上に降ろすと滑り止手段によって、天板が側方へ滑動することを防止できて天板を固定できる。また、外観の全てを木製で作成することができるので、その場合には、高級なイメージを醸し出すことができる。
【００１０】
本発明の請求項２に係るフレキシブル天板机は、請求項１のフレキシブル天板机において、前記ガイド機構が、前記台座板に設けられた蟻溝と、前記天板に設けられて該蟻溝に嵌まると共に該蟻溝より若干小さめの蟻型と、の組合せであることを特徴とする。また、本発明の請求項３に係るフレキシブル天板机は、請求項１のフレキシブル天板机において、前記ガイド機構が、前記台座板に設けられた蟻型と、前記天板に設けられておりかつ該蟻型を嵌めると共に該蟻型より若干大きめの蟻溝と、の組合せであることを特徴とする。
【００１１】
また、本発明の請求項４に係るフレキシブル天板机は、請求項１のフレキシブル天板机において、丸棒又は角棒と、前記天板に設けられた該丸棒又は該角棒の上半分を嵌合する溝状のホゾ穴と、前記台座板に設けられた該丸棒又は該角棒の下半分を嵌合する溝状のホゾ穴と、の組合せであることを特徴とする。また、本考発明の請求項５に係るフレキシブル天板机は、請求項１のフレキシブル天板机において、前記ガイド機構が、断面形状が後藤分銅形状又は鼓形状の蟻桟と、前記天板に設けられた該後藤分銅形状又は該鼓形状の該蟻桟の上半分を嵌めると共に該蟻桟より若干大きめの蟻溝と、前記台座板に設けられた該後藤分銅形状又は該鼓形状の該蟻桟の下半分を嵌めると共に該蟻桟より若干大きめの蟻溝と、の組合せであることを特徴とする。
【００１２】
また、本発明の請求項６に係るフレキシブル天板机は、請求項４又は５のいずれかに記載のフレキシブル天板机において、前記天板をもう１枚追加して、奥行きと幅が前記台座板と略同寸法の前記天板を２枚使用すると共に前記ガイド機構を複数個設けていることを特徴とする。また、本発明の請求項７に係るフレキシブル天板机は、請求項４又は５のいずれかに記載のフレキシブル天板机において、前記天板に、さらに奥行きが前記台座板と略同寸法で幅の寸法が略半分の天板をもう１枚追加して、天板を２枚使用すると共に前記ガイド機構を複数個設けていることを特徴とする。
【００１３】
また、本発明の請求項８に係るフレキシブル天板机は、請求項１から７のいずれかに記載のフレキシブル天板机において、記滑り止手段が、台座板の上面に固着された単数又は複数個の薄板状のゴム又はプラスチックであることを特徴とする。
【００１４】
請求項２又は３及び８の構成を採用することにより、フレキシブル天板机は、天板と台座板の一方に設けられた蟻溝と、他方に設けられていて、その蟻溝に嵌り蟻溝より若干小さな蟻型との組合せが、ガイド機構となっており、台座板から天板を少し持ち上げて天板を移動させると、蟻型が蟻溝を摺動するので、移動中も天板が台座板から外れることがない。また、所定の位置に天板を移動させた後、持ち上げた天板を台座板に降ろすと、天板の重さで、天板とゴム製またはプラスチック製の薄い板状の滑り止との摩擦によって、天板が滑動することを防止できる。
【００１５】
請求項４の構成を採用することにより、フレキシブル天板机は、天板を持ち上げて、天板の下にある丸棒又は角棒を台座板の端部から外部方向に、バランスの取れる範囲内で所定の長さを引き出す。その引き出された丸棒又は角棒の端部まで天板を移動させた後、持ち上げた天板を台座板に降ろし、ゴム製又はプラスチック製の薄い板状の滑り止で固定する。これによって、脚部を移動させずに天板だけをずらすことが出来るので、例えば、狭い部屋の中においても、使用する際は作業しやすい位置に天板をずらすことができて、しかも、天板は転倒しないし、また、使用しないときは天板と丸棒を元の台座板上に戻してコンパクトにすることができる。
【００１６】
また、天板を持ち上げて、天板と台座板との間にある丸棒又は角棒を台座板の端部から外部方向に、所定の長さを引き出した後、別途大きな天板に付け替えることもできる。これによって、机を使用する際に、作業しやすい大きく広い天板を使うことができて作業効率が上がり、また、使用しないときは元の天板と丸棒又は角棒を台座板上に戻してコンパクトにすることができる。
【００１７】
請求項５の構成を採用することにより、フレキシブル天板机は、断面が後藤分銅形状又は鼓形状の蟻桟を、また、天板及び台座板にそれぞれ上下半分ずつが嵌る蟻溝を使用しているので、天板が台座板から外れずに移動させることができる。また、蟻桟を台座板の端部から外部方向に引き出せば、脚と台座板は元の位置のままで天板だけをずらしたり、大きな天板に付け替えたりすることができる。
【００１８】
請求項６又は７の構成を採用することにより、フレキシブル天板机は、丸棒や角棒や蟻桟を、両方の妻側から引き出した際に、元の天板と同じものを２枚、又は、元の天板に、元の天板の幅が略半分の大きさの天板を１枚追加して、丸棒や角棒や蟻桟に載せて使用することができる。よって、状況に合わせて天板を広くして使用することができる。
【発明の効果】
【００１９】
本発明に係る請求項１から８に記載のフレキシブル天板机によれば、脚や台座板は元の位置のままで天板をずらして使用したり、天板の大きさを変更したりして、天板と脚部の位置をフレキシブルに変更して使用することができるし、使用しないときはコンパクトにできるので、引越しの際にも新しい部屋で机の設置場所に悩まずにすむ。また、本発明のフレキシブル天板机は、ガイド機構は簡易であるから製作も容易で製作費用が安くできる。また、ガイド機構を含めて、外観部材が全て木材にすることができて、その場合には高級感を醸し出すことができる。
【図面の簡単な説明】
【００２０】
【図１】図１は、本発明を実施するための形態に係るフレキシブル天板机の（ａ）は、通常の状態の模式的斜視図であり、（ｂ）は、天板を片側にずらした状態の模式的斜視図であり、（ｃ）は、図１（ａ）のＡ−Ａ矢視断面図である。
【図２】図２は、本発明を実施するための別の形態に係るフレキシブル天板机であって、側面図であり、（ａ）は、ガイド機構が１本の丸棒と、天板および台座板に設けられた溝状のホゾ穴との組合せであり、（ｂ）は、ガイド機構が２本の丸棒と、天板および台座板に設けられたそれに対応する溝状のホゾ穴との組合せであり、（ｃ）は、ガイド機構が天板に設けられた蟻型と台座板に設けられた蟻溝との組合せであり、（ｄ）は、ガイド機構が２本の断面が後藤分銅形状の蟻桟と、天板および台座板に設けられた蟻溝との組合せであり、（ｅ）は、ガイド機構が２本の角棒と、天板および台座板に設けられたそれに対応する溝状のホゾ穴との組合せであり、（ｆ）は、ガイド機構が断面が鼓形状の蟻桟と、天板および台座板に設けられた蟻溝との組合せである。
【図３】図３は、本発明を実施するための形態に係る天板が台座板より幅が広いフレキシブル天板机の正面図であって、（ａ）は、通常の状態であり、（ｂ）は、天板を片側にずらした状態であり、（ｃ）は、大きな一枚の天板に置き換えた状態である。
【図４】図４は、本発明を実施するための形態に係る天板の幅と台座板の幅が同じ長さのフレキシブル天板机の正面図であって、（ａ）は、通常の状態であり、（ｂ）は、天板を片側にずらした状態であり、（ｃ）は、同じ大きさの天板を２枚載せた状態である。
【発明を実施するための形態】
【００２１】
本発明に係るフレキシブル天板机１は、天板２と、天板２を滑り止６を介して支える台座板３と、フレキシブル天板机１全体を支える脚部４と、台座板３と天板２との間に設けられ、天板２をずらして支持するためのガイド機構５と、から構成されている。また、フレキシブル天板机１は、滑り止６以外の部材は、ガイド機構５も含めて全て木製にするのが、高級感を醸し出すことができて好適である。天板の大きさは、通常、幅３０〜６００ｃｍ、奥行２０〜３００ｃｍである。
【００２２】
図１、図２に示すように、天板２は、上面は普通の机の天板と同じであって作業をするエリアであり、下面には、長手方向（幅方向）に摺動するための単数または複数のガイド機構５の一部を有しており、ガイド機構５の種類によって、蟻溝５−１、蟻型５−２、溝状のホゾ穴５−５のいずれかを備えている。なお、天板２は木製にするのが高級感を醸し出せるので好適であるが、樹脂製の天板２でもよいし、樹脂製の天板２の表面のみを、木目調のプリントをしたものを用いることもできる。
【００２３】
台座板３は、下面を脚部４に支えられ、上面には、長手方向（幅方向）に摺動するための単数または複数のガイド機構５の一部を有しており、ガイド機構５の種類によって、蟻溝５−１、蟻型５−２、溝状のホゾ穴５−５のいずれかを備えている。
【００２４】
脚部４は、図１に示すように、４本の脚とそれを固定させる水平方向の梁材からできており、フレキシブル天板机１全体の荷重を安定して支えている。なお、脚部４の脚は、台座板３や天板２等を支えることができればよい。
【００２５】
ガイド機構５は、天板２と台座板３との間の面に設けられている。図２（ａ）〜（ｆ）に示すように、ガイド機構５は、天板２又は台座板３のどちらか一方に蟻溝５−１、他方に蟻型５−２を設けた組み合わせの場合と、断面形状が、後藤分銅形状の蟻桟５−４又は鼓形状の蟻桟５−６を使用して、天板２と台座板３との両方に該蟻桟５−４、５−６を嵌めることができる蟻溝５−１を設けた組み合わせの場合と、丸棒５−３又は角棒５−７を使用して、天板２と台座板３との両方に該丸棒５−３又は角棒５−７を嵌めることができる溝状のホゾ穴５−５との組み合わせの場合とがある。それぞれの組み合わせによって、天板２を少し持ち上げてガイド機構５に沿って天板２を摺動させることができる。そして、所定の位置まで移動させた後、ゆっくりと天板２を台座板３上に降ろす。すると、天板２は重量があり、滑り止６によって滑動を防止できるので、台座板３の所定の位置に固定できる。また、蟻桟５−４、５−６、丸棒５−５又は角棒５−７を使用している場合には、これらによっても天板２の荷重は支えられるし、また、蟻溝５−１を使用する場合には、蟻型５−２や蟻桟５−４、５−６が蟻溝５−１に引っかかっているので、天板２が引っくり返って落下することを防止できる。なお、蟻溝５−１と蟻型５−２、蟻桟５−４と蟻溝５−１、蟻桟５−６と蟻溝５−１、丸棒５−３と溝状のホゾ穴５−５、角棒５−３と溝状のホゾ穴５−５のそれぞれの組み合わせは、滑らかに摺動させるために、若干オスを小さめ、または、若干メスを大きめにするのが良い。また、ガイド機構５、即ち、蟻溝５−１と蟻型５−２、蟻桟５−４と蟻溝５−１、蟻桟５−６と蟻溝５−１、丸棒５−３と溝状のホゾ穴５−５、角棒５−３と溝状のホゾ穴５−５のそれぞれの組み合わせは、金属を用いることもできるが、木製にすれば、ガイド機構５も高級感を醸し出すことができる。
【００２６】
滑り止６は、厚みが１〜５ｍｍの薄肉状のプラスチック製又はゴム製であって、台座板３の上面又は天板２の下面に、ガイド機構５を平面的に挟む位置に接着剤等で固着されているが良いが、置くだけでも天板２の重量により、滑り止６の役割を果たすことができる。また、形状は長方形が好適であるが、他の形状でも良い。
【００２７】
次に、本発明に係るフレキシブル天板机１の使用方法の一例を説明する。図１（ａ）、（ｂ）、（ｃ）に示すように、通常の状態では天板２を台座板３の中央に配置させている。天板２の蟻溝５−１の両斜面に台座板３の蟻型５−２の両斜面が触れるまで天板２を水平状態のまま軽く持ち上げ、天板２の一方の端部が台座板３の端部と重なる位置まで天板２を摺動させる。そして、静かに天板２を台座板３の上に静かに降ろす。すると、台座板３との間にある滑り止６は、プラスチック製またはゴム製であるので摩擦係数後大きく、また、天板２は、重量があり、特に、木製のものを用いた場合にはより重量が増すので、これらによって、天板２と滑り止６との間の摩擦力が大きくなるので、一度降ろされた天板２は滑動しない。この図１（ｃ）のように天板２の端部を台座板３の端部に揃えた状態にした場合は、例えば、狭い部屋に大型の家具等がある場合でも、フレキシブル天板机１の脚部４がある側の端部を壁際に配置すれば、部屋の中央側の端部の下には、脚部４がないので、人が移動する際に脚部４が邪魔にならない。
【００２８】
また、フレキシブル天板机１の使用方法の別の一例を説明する。図３（ａ）、（ｂ）、（ｃ）に示すように、台座板３より天板２の方が幅が広いのフレキシブル天板机１を示している。蟻桟５−４、５−６、丸棒５−３又は角棒５−７を使用する場合には、まず、天板２を少し持ち上げてから、蟻桟５−４、５−６丸棒５−３又は角棒５−７を所定の位置まで引き出し、そして、天板２を移動させて静かに下ろす。すると、蟻桟５−４、５−６、丸棒５−３又は角棒５−７が、天板２を下から支えるので、天板２が安定する。また、図３（ｃ）に示すように、ガイド機構５を複数用いた場合には、蟻桟５−４、５−６、丸棒５−３又は角棒５−７を両側に所定の位置まで引き出すことによって、別途、通常の大きさよりも大きな天板２に置き換えてを設置することもできる。このように、本発明に係るフレキシブル天板机は、使用する目的に応じて、天板２の大きさを変更することができる。なお、初めから大きな天板２にあわせた長さの丸棒５−３、角棒５−７、蟻桟５−４、５−６を用いることもできる。
【００２９】
また、図４（ａ）、（ｂ）に示したさらに別の使用例を説明する。台座板３と天板２とが、幅が同じタイプのフレキシブル天板机１を示している。図３と同じようにして、蟻桟５−４、５−６、丸棒５−３又は角棒５−７を所定の位置まで引き出し、そして、天板２を移動させて静かに下ろす。この場合は、天板２が台座板３から飛び出しているが、蟻桟５−４、５−６、丸棒５−３又は角棒５−７によって下から支えるので、天板２が落ちることはない。なお、この場合には、天板２をずらすことができるのは、天板２の幅の半分以下である。
【００３０】
また、図４（Ｃ）に示すように、、複数のガイド機構５用いた場合には、蟻桟５−４や丸棒５−３を両側に所定の位置まで引き出すことによって、元の天板２と同じ天板２を、又は、元の天板２に、元の天板２の幅が約半分の天板を、もう一枚、台座板３及びガイド機構５上に載せることもできる。これによって、机の作業スペースを２倍にすることができるので、大きな書類などを広げることもでき、作業効率を良くすることができる。また、天板２の大きさを大きくするための補助の天板２を上述の図３の天板２よりも非常に小さくできるので、補助の天板２を使っていないときの保管するスペースを小さくすることができる。
【００３１】
天板２又は台座板３に設けられた蟻型５−２は、一枚の板から削り出しても良いし、天板２又は台座板３の本体とは、別途、蟻型５−２を作成して、釘やネジや接着等で、天板２又は台座板３に固定しても良い。
【産業上の利用可能性】
【００３２】
机の分野、特に、木製の高級机を使用する分野で広く利用できる。
【符号の説明】
【００３３】
１：フレキシブル
２：天板        
３：台座板    
４：脚部
５−１：ガイド機構（蟻溝）    
５−２：ガイド機構（蟻型）  
５−３：ガイド機構（丸棒）    
５−４：ガイド機構（後藤分銅形状の蟻桟）
５−５：ガイド機構（溝状のホゾ穴）  
５−６：ガイド機構（鼓形状の蟻桟）
５−７：ガイド機構（角棒）              
６：滑り止
【図１】
2016097051.tif 000003
【図２】
2016097051.tif 000004
【図３】
2016097051.tif 000005
【図４】
2016097051.tif 000006